(57)【要約】【課題】基板の複数の挿入孔に複数の端子を圧入する際の基板へのダメージを抑制することの可能な端子支持用冶具を提供する。【解決手段】  端子支持用冶具１は、ケース２の板厚方向に挿通する複数の端子３の先端部３１を基板の複数の挿入孔に圧入する際、端子３のうちでケース２の反先端部側に位置する部分３３，３４を支持する。端子支持用冶具１は、少なくとも、ケース２の所定領域に設けられた端子３を支持する第１支持部材１１と、その第１支持部材１１が支持する端子３が設けられた領域とは異なる領域に設けられた端子３を支持する第２支持部材１２を備える。これにより、端子支持用冶具１に対してケース２が傾いている場合でも、複数の支持部材１１，１２，１３は、それぞれが支持する端子３の略同じ箇所をケース２を曲げることなく支持することが可能である。【選択図】図１
2015090746.tif 000002
【特許請求の範囲】
【請求項１】
ケース（２）の板厚方向に挿通する複数の端子（３）の先端部（３１）を基板（４）の複数の挿入孔（４１）に圧入する際に用いられる端子支持用冶具（１）において、
前記ケースの所定領域に設けられた前記端子のうち、前記ケースの反先端部側に位置する部分を支持する第１支持部材（１１，２０１）と、
前記第１支持部材が支持する前記端子が設けられた領域とは異なる領域に設けられた前記端子のうち、前記ケースの反先端部側に位置する部分を支持する第２支持部材（１２，２０２）と、を備えることを特徴とする端子支持用冶具。
【請求項２】
前記第１支持部材及び前記第２支持部材は、前記ケースから反先端部側へ延びる端子本体部（３３）を収容可能な収容溝（１４）と、前記端子本体部から幅方向に突出する鍔部（３４）の反先端部側の面に当接可能な当接部（１５）とを有することを特徴とする請求項１に記載の端子支持用冶具。
【請求項３】
前記第１支持部材は、前記ケースの所定領域に設けられた複数の前記端子を支持し、
前記第２支持部材は、前記第１支持部材が支持する前記端子が設けられた領域とは異なる領域に設けられた複数の前記端子を支持することを特徴とする請求項１または２に記載の端子支持用冶具。
【請求項４】
前記第１支持部材及び前記第２支持部材が支持する前記端子が設けられた領域とは異なる領域に設けられた前記端子のうち、前記ケースの反先端部側に位置する部分を支持する第３支持部材（１３，２０３）を備えることを特徴とする請求項１から３のいずれか一項に記載の端子支持用冶具。
【請求項５】
前記請求項１に記載の前記端子支持用冶具を用いて端子を支持する端子支持装置（５）であって、
前記端子支持用冶具が備える前記第１支持部材を支持する第１弾性手段（８１，８００）と、
前記端子支持用冶具が備える前記第２支持部材を支持する第２弾性手段（８２，８００）と、
前記第１弾性手段及び前記第２弾性手段が設置される可動台（７０）と、
前記第１支持部材及び前記第２支持部材が前記端子を支持する位置まで前記可動台をケース側へ移動する移動手段（６０）と、
前記第１支持部材及び前記第２支持部材が前記端子を支持した状態で、前記可動台に対する前記第１支持部材及び前記第２支持部材の位置を固定する固定手段（９１，９２，９０１，９０２）と、備えることを特徴とする端子支持装置。
【請求項６】
前記固定手段は、
前記可動台に対する前記第１支持部材のケース側への移動を規制する第１上固定手段（１１２，９１１）と、
前記可動台に対する前記第１支持部材の反ケース側への移動を規制する第１下固定手段（１１３，９２１）と、
前記可動台に対する前記第２支持部材のケース側への移動を規制する第２上固定手段（１２２，９１２）と、
前記可動台に対する前記第２支持部材の反ケース側への移動を規制する第２下固定手段（１２３，９２２）と、を備えることを特徴とする請求項５に記載の端子支持用装置。
【請求項７】
請求項５に記載の前記端子支持装置を用いた端子圧入方法において、
前記移動手段を駆動し、前記第１支持部材と前記第２支持部材が前記端子を支持可能な位置まで前記可動台をケース側に移動する端子支持工程と、
前記端子支持工程の後、前記固定手段により前記可動台に対する前記第１支持部材及び前記第２支持部材の位置を固定する支持部材固定工程と、
前記支持部材固定工程の後、前記基板の複数の前記挿入孔に複数の前記端子の前記先端部を圧入する圧入工程と、を含むことを特徴とする端子圧入方法。
【発明の詳細な説明】
【技術分野】
【０００１】
本発明は、基板の挿入孔に端子を挿し込む際に端子を支持する端子支持用冶具、それを備えた端子支持装置、及び端子支持装置を用いた端子圧入方法に関する。
【背景技術】
【０００２】
従来より、電子制御装置のケースを挿通する複数の端子の先端部を基板の複数の挿入孔に挿入する際、ケースを挟んで端子の反先端部側に位置する部分を支持する端子支持用冶具が知られている。
特許文献１に記載の端子支持用冶具は、それぞれの端子から幅方向に突出する鍔部に係合する複数の係合部を有している。この端子支持用冶具は、基板の挿入孔に端子の先端部を圧入する際に、基板から端子に作用する押圧力を係合部によって受け止めることが可能である。これにより、端子支持用冶具は、基板に端子を圧入する際に端子に作用する押圧力によってケースから端子が抜けることを防いでいる。
【先行技術文献】
【特許文献】
【０００３】
【特許文献１】特開２００５−２９４０２５号公報
【発明の概要】
【発明が解決しようとする課題】
【０００４】
しかしながら、特許文献１に記載の端子支持用冶具により端子を支持する場合、電子制御装置のケースが冶具に対して傾いていると、ケースの一方の側と治具との距離と、ケースの他方の側と冶具との距離とが異なるものになる。したがって、ケースの一方の側に設けられた端子の鍔部と冶具の係合部との距離と、ケースの他方の側に設けられた端子の鍔部と冶具の係合部との距離とが異なるものになる。
その状態で基板の挿入孔に端子を圧入すると、ケースのうちで端子の鍔部と冶具の係合部との距離が遠い側に位置するケースの一部は、そこに設けられた端子の鍔部が冶具の係合部に当接するまで撓むことが考えられる。そのため、基板の挿入孔に端子を圧入した後、ケースの弾性力によって、一度撓んだケースの一部とそこに設けられた端子がもとの位置に戻ると、それに伴って基板が曲がるおそれがある。その結果、基板の白化、または基板に取り付けられた電子部品の故障等が懸念される。
本発明は上記問題に鑑みてなされたものであり、基板の複数の挿入孔に複数の端子を圧入する際の基板へのダメージを抑制することの可能な端子支持用冶具、端子支持装置、及び端子圧入方法を提供することを目的とする。
【課題を解決するための手段】
【０００５】
第１発明は、ケースの板厚方向に挿通する複数の端子のうちケースの反先端部側に位置する部分を支持する端子支持用冶具において、ケースの所定領域に設けられた端子を支持する第１支持部材と、その領域とは異なる領域に設けられた端子を支持する第２支持部材を備えることを特徴とする。
これにより、端子支持用冶具に対してケースが傾いている場合でも、第１支持部材と第２支持部材は、それぞれが支持する端子の略同じ箇所をケースを曲げることなく支持することが可能である。そのため、複数の端子を基板の複数の挿入孔に圧入する際、端子が支持部材に支持されるまで基板が撓むことが防がれる。したがって、ケースが撓んだ後に、ケースと端子がもとの位置に戻ることによって生じる基板の曲がりが防がれる。その結果、端子支持用冶具は、基板の白化、または基板に取り付けられた電子部品の故障を防ぐことができる。
また、端子支持用冶具は、基板に端子を圧入する際に端子に作用する押圧力によってケースから端子が抜けることを防ぐことができる。
なお、本発明は、端子支持用冶具が少なくとも第１支持部材と第２支持部材を備えるものであればよく、端子支持用冶具がそれ以上の支持部材等を備えるものも権利範囲に含むものである。
【０００６】
第２発明は、端子支持装置の発明である。端子支持装置は、端子支持用冶具の第１支持部材を第１弾性手段によって支持し、第２支持部材を第２弾性手段によって支持する。また、端子支持装置は、第１弾性手段と第２弾性手段が設置された可動台をケース側へ移動した状態で、第１支持部材及び第２支持部材を固定手段によって固定する。
これにより、移動手段が可動台をケース側に動かすと、第１弾性手段と第２弾性手段の変形量の違いにより、第１支持部材と第２支持部材は、それぞれが支持する端子の略同じ箇所をケースを曲げることなく支持することが可能である。その状態で、第１支持部材と第２支持部材は、固定手段によって固定されるので、基板の挿入孔に端子を圧入する際の押圧力により第１弾性手段と第２弾性手段が撓むことが防がれる。したがって、端子支持装置は、基板の挿入孔に端子を圧入する際に生じる基板の白化等のダメージを抑制することができる。
また、端子支持装置は、端子を基板に圧入する際にケースから端子が抜けることを防ぐことができる。
【０００７】
第３発明は、端子圧入方法の発明である。端子圧入方法は、第１支持部材と第２支持部材が端子を支持する位置へ可動台を動かした後、第１支持部材と第２支持部材の位置を固定する。その後、基板の複数の挿入孔に複数の端子の先端部を圧入する。
この端子圧入方法により、端子支持用冶具に対してケースが傾いている場合でも、基板の複数の挿入孔に複数の端子を圧入する際の基板へのダメージを抑制することができる。
また、この端子圧入方法により、基板に端子を圧入する際にケースから端子が抜けることを防ぐことができる。
【図面の簡単な説明】
【０００８】
【図１】本発明の第１実施形態による端子支持用冶具とＥＣＵケースの断面図である。
【図２】図１のＩＩ方向の平面である。
【図３】本発明の第１実施形態による端子支持装置の断面図である。
【図４】本発明の第１実施形態による端子支持装置の断面図である。
【図５】本発明の第１実施形態による端子支持装置の断面図である。
【図６】基板が取り付けられたＥＣＵケースの平面図である。
【図７】本発明の第２実施形態による端子支持用冶具とＥＣＵケースの断面図である。
【図８】本発明の第２実施形態による端子支持装置の断面図である。
【図９】図８のＩＸ−ＩＸ線の断面図である。
【発明を実施するための形態】
【０００９】
以下、本発明による実施形態を図面に基づいて説明する。
（第１実施形態）
本発明の第１実施形態を図１から図６に示す。第１実施形態の端子支持用冶具１は、電子制御装置（以下「ＥＣＵ」という）のケース２を挿通する複数の端子３の先端部３１を基板４の複数の挿入孔４１に挿入する際、端子３のうちケース２を挟んで反先端部側に位置する部分を支持するものである。
【００１０】
先ず、第１実施形態の端子支持用冶具１に支持される端子３の一例について説明する。
図１から図３に示すように、端子３は、ＥＣＵのケース２に樹脂モールドされ、ケース２の板厚方向に延びている。この端子３は、プレスフィット型の先端部３１が基板４の挿入孔４１としてのスルーホールの内壁に圧入固定されるものである。
複数の端子３は、ＥＣＵのケース２のコネクタ部２１に設けられるものである。図２では、ケース２の本体部２２とコネクタ部２１とを概念的に一点鎖線で示しているが、これらは一体に形成されるものである。図１に示すように、ケース２は、コネクタ部２１が本体部２２に対して傾斜している場合がある。
【００１１】
端子３は、先端部３１、上本体部３２、下本体部３３及び鍔部３４などを有する。
上本体部３２はケース２から先端部側へ延びる部分であり、下本体部３３はケース２から反先端部側に延びる部分である。本実施形態の下本体部３３が、特許請求の範囲に記載した「ケースから反先端部側へ延びる端子本体部」の一例に相当する。
鍔部３４は、上本体部３２及び下本体部３３から幅方向に突出する部分である。この鍔部３４がＥＣＵのケース２に樹脂モールドされることにより、端子３はケース２に固定される。
【００１２】
次に、第１実施形態の端子支持用冶具１について説明する。
端子支持用冶具１は、複数の支持部材から構成される。本実施形態の端子支持用冶具１は、第１支持部材１１、第２支持部材１２、及び第３支持部材１３を備えている。
第１−第３支持部材１１，１２，１３はそれぞれ、ケース２の異なる領域に設けられた複数の端子３を支持する。図１では、第１支持部材１１がケース２の左側の領域に設けられた端子３を支持し、第２支持部材１２がケース２の中央の領域に設けられた端子３を支持し、第３支持部材１３がケース２の右側の領域に設けられた端子３を支持している。
【００１３】
第１−第３支持部材１１，１２，１３はそれぞれ、端子３の下本体部３３を収容可能な収容溝１４と、端子３の鍔部３４の反先端部側の面に当接可能な当接部１５を有する。
ＥＣＵのケース２が固定された状態で、端子３の先端部３１が基板４の挿入孔４１に圧入されるとき、基板４の挿入孔４１の内壁から端子３に対して押圧力が反先端部側へ作用する。このとき、第１−第３支持部材１１，１２，１３の当接部１５は端子３の鍔部３４の反先端部側の面に当接し、その押圧力を受け止める。したがって、ケース２から端子３が抜け落ちることが防がれる。また、本実施形態では、端子支持用冶具１が複数個の支持部材１１，１２，１３から構成されているので、ＥＣＵケース２の本体部２２に対してコネクタ部２１が傾斜している場合でも、第１−第３支持部材１１，１２，１３の当接部１５とそれらに対応する端子３の鍔部３４との距離が近いものとなる。そのため、基板４から端子３に対して作用する押圧力により端子３が第１−第３支持部材１１，１２，１３の当接部側へ移動することが防がれる。したがって、端子支持用冶具１は、端子３とともに基板４が第１−第３支持部材側へ曲がることを防ぐことができる。
【００１４】
続いて、上述した端子支持用冶具１を用いた端子支持装置５について、図３から図５を参照して説明する。なお、以下、端子支持装置５及びこれを用いた端子圧入方法の説明に関し、図３から図５の紙面の上下左右をそのまま使用して説明するが、これはこの装置５が実際に設置される向きを限定するものではない。
端子支持装置５は、基台５０、移動手段６０、可動台７０、第１−第３弾性手段８１，８２，８３、及び固定手段９１，９２を備えている。
基台５０は、接地部５１と、その接地部５１から上に延びる２本の支柱５２を有する。
移動手段６０は、２本の支柱５２にそれぞれ設けられ、上下方向に移動可能である。移動手段６０の上方への移動量は、２本の支柱５２に設けられたストッパ５３によって制限されている。
可動台７０は、左右の移動手段６０に固定され、移動手段６０と共に上下方向に移動可能である。この可動台７０に、第１弾性手段８１、第２弾性手段８２及び第３弾性手段８３が設置される。
【００１５】
第１−第３弾性手段８１，８２，８３は、例えば圧縮コイルスプリングなどから構成され、可動台７０と第１−第３支持部材１１，１２，１３との間に設けられる。第１−第３弾性手段８１，８２，８３は、第１−第３支持部材１１，１２，１３を支持すると共に、第１−第３支持部材１１，１２，１３を反可動台側に付勢している。
第１−第３支持部材１１，１２，１３には、可動台７０に設けられた孔７１を挿通する第１−第３ロッド１１１，１２１，１３１が固定される。第１−第３ロッド１１１，１２１，１３１は、可動台７０の下側に設けられたテーパ部１１２，１２２，１３２、及び、接地部５１の上側に設けられた傾斜部１１３，１２３，１３３を有する。
【００１６】
固定手段は、上固定手段９１と下固定手段９２から構成される。
上固定手段９１は、傘部９１１，９１２，９１３及び作動部９１４，９１５，９１６を有する。傘部９１１，９１２，９１３は、ロッド１１１，１２１，１３１のうち可動台７０とテーパ部１１２，１２２，１３２との間に位置する部分を上下方向に移動可能に設けられる。作動部９１４，９１５，９１６は、可動台７０に設けられて、その傘部９１１，９１２，９１３を移動する。作動部９１４，９１５，９１６により傘部９１１，９１２，９１３が下方向に移動し、傘部９１１，９１２，９１３とテーパ部１１２，１２２，１３２とが当接すると、可動台７０及び基台５０に対する第１支持部材１１のケース側への移動が規制される。
【００１７】
下固定手段９２は、ロッド１１１，１２１，１３１の傾斜部１１３，１２３，１３３に対応した傾斜角を有する楔部９２１，９２２，９２３、及び、その楔部９２１，９２２，９２３をロッド１１１，１２１，１３１の軸に対して交差する方向に移動可能な駆動部９２４，９２５，９２６を有する。駆動部９２４，９２５，９２６により楔部９２１，９２２，９２３が傾斜部側に移動し、楔部９２１，９２２，９２３と傾斜部１１３，１２３，１３３とが当接すると、可動台７０及び基台５０に対する第１支持部材１１の反ケース側への移動が規制される。
【００１８】
本実施形態の第１支持部材１１から延びるロッド１１１に設けられたテーパ部１１２とそれに対応する傘部９１１は、特許請求の範囲に記載の「第１上固定手段」の一例に相当する。
本実施形態の第２支持部材１２から延びるロッド１２１に設けられたテーパ部１２２とそれに対応する傘部９１２は、特許請求の範囲に記載の「第２上固定手段」の一例に相当する。
本実施形態の第１支持部材１１から延びるロッド１１１に設けられた傾斜部１１３とそれに対応する楔部９２１は、特許請求の範囲に記載の「第１下固定手段」の一例に相当する。
本実施形態の第２支持部材１２から延びるロッド１２１に設けられた傾斜部１２３とそれに対応する楔部９２２は、特許請求の範囲に記載の「第２下固定手段」の一例に相当する。
【００１９】
次に、端子支持装置５を用いた端子圧入方法について、図３から図５を参照して説明する。
まず、図３に示すように、第１−第３支持部材１１，１２，１３の収容溝１４に対応する位置に、端子３が取り付けられたケース２を配置する。なお、図３において、ケース２は、図示しない装置によって固定されているものとする。
【００２０】
次に、端子支持工程として、図４の矢印Ａに示すように、移動手段６０をストッパ５３に当接する位置まで移動する。ストッパ５３と移動手段６０とが当接したとき、第１−第３支持部材１１，１２，１３の当接部１５が端子３の鍔部３４に当接するように、ストッパ５３の位置は予め設定されている。
移動手段６０がストッパ５３に当接するとき、第１−第３支持部材１１，１２，１３は、第１−第３弾性手段８１，８２，８３により、それぞれの上下方向の移動量が調整される。そのため、第１−第３支持部材１１，１２，１３のそれぞれの収容溝１４に端子本体部が収容され、第１−第３支持部材１１，１２，１３のそれぞれの当接部１５に端子３の鍔部３４が当接する。
なお、第１−第３弾性手段８１，８２，８３の弾性係数は、移動手段６０がストッパ５３に当接した状態で、第１−第３弾性手段８１，８２，８３の付勢力によってケース２が変形することの無い程度、又はケース２の変形が許容される程度に設定されている。
【００２１】
続いて、支持部材固定工程として、図５の矢印Ｂに示すように、上固定手段９１の作動部９１４，９１５，９１６を作動し、傘部９１１，９１２，９１３を下方向に移動する。作動部９１４，９１５，９１６は、傘部９１１，９１２，９１３とテーパ部１１２，１２２，１３２とが当接すると傘部９１１，９１２，９１３の移動を停止する。これにより、可動台７０及び基台５０に対するロッド１１１，１２１，１３１及び第１−第３支持部材１１，１２，１３のケース側への移動が規制される。
次に、図５の矢印Ｃに示すように、下固定手段９２の駆動部９２４，９２５，９２６を作動し、楔部９２１，９２２，９２３を傾斜部側へ移動する。駆動部９２４，９２５，９２６は、楔部９２１，９２２，９２３と傾斜部１１３，１２３，１３３とが当接すると楔部９２１，９２２，９２３の移動を停止する。これにより、可動台７０及び基台５０に対するロッド１１１，１２１，１３１及び第１−第３支持部材１１，１２，１３の反ケース側への移動が規制される。
【００２２】
続いて、圧入工程として、図５の矢印Ｄに示すように、基板搬送装置４０の腕部４２を伸ばし、ケース２の上に配置した基板４を端子側に移動し、基板４の挿入孔４１に端子３の先端部３１を圧入する。このとき、端子３の鍔部３４は、第１−第３支持部材１１，１２，１３の当接部１５に当接しているので、ケース２から端子３が抜け落ちることが防がれる。また、基板４から端子３に作用する押圧力によってケース２が撓むことが防がれる。
【００２３】
図６では、基板４の挿入孔４１に端子３を圧入固定した状態のＥＣＵを示している。なお、図６において、基板４の下に位置する種々の電子部品４３は破線で示し、基板４の上に位置する種々の電子部品４４は実線で示している。本実施形態の端子支持装置５を用いた端子圧入方法により、全ての端子３が抜け落ちることなく基板４の挿入孔４１に圧入固定されると共に、基板４の白化、または基板４に取り付けられた電子部品４３，４４の故障を防ぐことが可能である。
【００２４】
本実施形態では、次の作用効果を奏する。
（１）本実施形態の端子支持用冶具１は、ケース２の異なる領域に設けられた端子３を支持する複数個の支持部材１１，１２，１３により構成される。
これにより、端子支持用冶具１に対してケース２が傾いている場合でも、第１−第３支持部材１１，１２，１３は、それぞれが支持する端子３の略同じ箇所をケース２を曲げることなく支持することが可能である。そのため、複数の端子３を基板４の複数の挿入孔４１に圧入する際、端子３が支持部材に支持されるまで基板４が撓むことが防がれる。したがって、ケース２が撓んだ後に、ケース２と端子３がもとの位置に戻ることによって生じる基板４の曲がりが防がれる。その結果、端子支持用冶具１は、基板４の白化、または基板４に取り付けられた電子部品４３，４４の故障を防ぐことができる。
また、端子支持用冶具１は、基板４に端子３を圧入する際に端子３に作用する押圧力によってケース２から端子３が抜けることを防ぐことができる。
【００２５】
（２）本実施形態の端子支持用冶具１は、第１−第３支持部材１１，１２，１３が、端子本体部を収容可能な収容溝１４と、端子３の鍔部３４の反先端部側の面に当接可能な当接部１５を有する。
これにより、第１−第３支持部材１１，１２，１３は、当接部１５が端子３の鍔部３４に当接することにより、端子３を支持することができる。
【００２６】
（３）本実施形態の端子支持用冶具１は、第１−第３支持部材１１，１２，１３がそれぞれ複数の端子３を支持する。
これにより、端子３の本数に対し、支持部材１１，１２，１３の個数を少なくすることができる。
【００２７】
（４）本実施形態の端子支持装置５は、第１−第３支持部材１１，１２，１３を第１−第３弾性手段８１，８２，８３によって支持する。
これにより、移動手段６０が可動台７０をケース側に動かすと、第１−第３弾性手段８１，８２，８３の変形量の違いにより、第１−第３支持部材１１，１２，１３は、それぞれが支持する端子３の略同じ箇所をケース２を曲げることなく支持することが可能である。その状態で、第１−第３支持部材１１，１２，１３は、固定手段９１，９２によって固定される。したがって、端子支持装置５は、複数の端子３を基板４の複数の挿入孔４１に圧入する際に生じる基板４の白化等のダメージを抑制することができる。また、端子支持装置５は、端子３を基板４に圧入する際にケース２から端子３が抜けることを防ぐことができる。
【００２８】
（５）本実施形態の端子支持装置５は、第１−第３支持部材１１，１２，１３をそれぞれ異なる固定手段９１，９２によって固定する。
これにより、それぞれ異なる位置にある第１−第３支持部材１１，１２，１３を上下方向から確実に固定することが可能である。
【００２９】
（６）本実施形態の端子圧入方法は、第１−第３支持部材１１，１２，１３が端子３を支持可能な位置へ可動台７０を動かした後、第１−第３支持部材１１，１２，１３の位置を固定する。その後、基板４の複数の挿入孔４１に複数の端子３の先端部３１を圧入する。
これにより、端子支持用冶具１に対してケース２のコネクタ部２１が傾いている場合でも、基板４の複数の挿入孔４１に複数の端子３を圧入する際の基板４のダメージを抑制することができる。
また、この端子圧入方法により、基板４に端子３を圧入する際にケース２から端子３が抜けることを防ぐことができる。
【００３０】
（第２実施形態）
本発明の第２実施形態の端子支持用冶具１及び端子支持装置５を図７から図９に示す。第２実施形態において、上述した第１実施形態の構成と実質的に同一の構成には同一の符号を付して説明を省略する。
図７に示すように、第２実施形態では、端子支持用冶具１は、ケース２に設けられた端子３の本数に対応した１２個の支持部材２０１−２１２から構成されている。
図８に示すように、第２実施形態の端子支持用冶具１を用いた端子支持装置５は、１２個の支持部材２０１−２１２に対応した１２個の弾性手段８００を備えている。１２個の弾性手段８００は、可動台７０と支持部材２０１−２１２との間に設けられ、対応する支持部材２０１−２１２を支持すると共に、その支持部材２０１−２１２を反可動台側に付勢している。
【００３１】
図８及び図９に示すように、第２実施形態の固定手段は、２枚の摩擦板９０１，９０２から構成されている。この２枚の摩擦板９０１，９０２を図９の矢印Ｅ，Ｆに示すように動かすと、支持部材２０１−２１２から延びるロッド３０１−３１２は２枚の摩擦板９０１，９０２によって押圧される。これにより、２枚の摩擦板９０１，９０２は、支持部材２０１−２１２の位置を固定することが可能である。
【００３２】
第２実施形態では、次の作用効果を奏する。
（１）第２実施形態の端子支持用冶具１は、ケース２に設けられた端子３の本数に対応した個数の支持部材２０１−２１２から構成されている。そのため、ケース２の傾きが大きい場合でも、端子３の鍔部３４と冶具１の当接部１５との距離が遠くなることを防ぐことができる。
（２）第２実施形態の端子支持装置５は、複数の支持部材２０１−２１２を２枚の摩擦板９０１，９０２によって一度に固定することができる。
【００３３】
（他の実施形態）
上述した実施形態では、３個または１２個の支持部材から構成された端子支持用冶具について説明した。これに対し、他の実施形態では、端子支持用冶具は、２個以上の支持部材から構成されるものであればよい。
本発明は、上記複数の実施形態に限定されるものではなく、発明の趣旨を逸脱しない範囲において、種々の形態で実施することができる。
【符号の説明】
【００３４】
１  ・・・端子支持用冶具
２  ・・・ケース
３  ・・・端子
４  ・・・基板
４１・・・挿入孔
１１，２０１・・・第１支持部材
１２，２０２・・・第２支持部材
１３，２０３・・・第３支持部材
３１・・・先端部
【図１】
2015090746.tif 000003
【図２】
2015090746.tif 000004
【図３】
2015090746.tif 000005
【図４】
2015090746.tif 000006
【図５】
2015090746.tif 000007
【図６】
2015090746.tif 000008
【図７】
2015090746.tif 000009
【図８】
2015090746.tif 000010
【図９】
2015090746.tif 000011